(57)【特許請求の範囲】
【請求項１】
下方を開放した箱状の本体内にファンとこれを囲繞する熱交換器を配設し、同熱交換器の下面に接する露受皿を上部に備えた遮蔽部材により開放面を覆い、同遮蔽部材には前記ファンに対向する吸込口を設けると共に、本体との間に吹出口を設けて前記吸込口をベルマウスで覆い、本体の下部に室内に面するグリルを装着してなる天井埋込型空気調和機であって、同グリルにある化粧パネルの四辺に吹出口を設け、同吹出口の長手方向の両側であって前記化粧パネルの裏面に断熱材を配置し、前記吹出口に、支軸部により風向変更板を夫々回動自在に軸支するとともに、これら相隣る風向変更板を、前記化粧パネルのコーナ部で駆動装置に連係した連結部材により互いに連結し、該コーナ部に、前記化粧パネルに対向して前記断熱材の両側部を押圧する押圧片を備え、同押圧片と前記化粧パネルとの間に前記断熱材を挟持すると共に、前記連結部材または駆動装置を保護する保護カバーを各々被着してなる天井埋込型空気調和機において、前記吹出口周縁、および前記吸込口周縁にシール材を貼付するようにしたことを特徴とする天井埋込型空気調和機。
【請求項２】
前記シール材を前記断熱材の平坦部、および、前記保護カバーの平坦部に貼付するようにしたことを特徴とする請求項１記載の天井埋込型空気調和機。
【請求項３】
前記断熱材の平坦部、および、前記保護カバーの平坦部にケガキ線を入れ、前記シール材の貼付位置の目印とするようにしたことを特徴とする請求項２記載の天井埋込型空気調和機。
【請求項４】
前記シール材を断熱材部と保護カバー部とに分割して形成するようにしたことを特徴とする請求項２記載の天井埋込型空気調和機。
【発明の詳細な説明】
【０００１】
【発明の属する技術分野】
本発明は、天井埋込型空気調和機に係わり、より詳細には、本体の開放部に被着されるグリルの構造に関する。
【０００２】
【従来の技術】
従来、天井埋込型空気調和機は、例えば図１に示すように、下方を開放した箱状の本体１内にファン１とこれを囲繞する熱交換器３を配設し、同熱交換器３の下面に接する露受皿４ａを上部に備えた遮蔽部材４により開放面を覆い、同遮蔽部材４には前記ファン２に対向する吸込口５を設けると共に、本体との間に吹出口６を設けて前記吸込口５をベルマウス７で覆い、本体１の下部に室内に面するグリル８０を装着するようにしている。そして、前記グリル８０は図８で示すように、化粧パネル８の四辺に吹出口８ａを設け、同吹出口８ａの長手方向の両側であって前記化粧パネル８の裏面に断熱材９ａおよび９ｂを配置し、前記吹出口８ａに、支軸部１０ａにより風向変更板１０を夫々回動自在に軸支するとともに、これら相隣る風向変更板１０を、前記化粧パネル８のコーナ部８ｂで駆動装置１１に連係した連結部材１２により互いに連結し、該コーナ部８ｂに、前記連結部材１２または駆動装置１１を保護する保護カバー１３または保護カバー１４を被着してなる構成であった。
【０００３】
しかしながら、前記断熱材９ａおよび９ｂは、接着剤によって前記化粧パネル８の裏面に貼着したり、もしくは、ねじ１５によって前記化粧パネル８の裏面に螺着するようにした構成であるため、作業性が悪くコスト的に不利になってしまう構造となり、また、前記断熱材９ａおよび９ｂによって前記化粧パネル８の強度を補強するという二次的な効果を期待できにくいという問題を有していた。そこで、前記保護カバー１３および１４に、前記化粧パネル８に対向して前記断熱材９ａおよび９ｂの両側部を押圧する押圧片１３ｂ、１４ｂをそれぞれ設け、同押圧片１３ｂ、１４ｂと前記化粧パネル８とで前記断熱材９ａ、９ｂを挟持するようにして前記化粧パネル８の強度を補強するようにしたものを発明した。しかし、この構成では保護カバー１３、１４と断熱材９ａ、９ｂとの間に段差等による隙間ができ、機密性が損なわれるという問題があった。
【０００４】
【０００５】
【発明が解決しようとする課題】
本発明は以上述べた問題点を解決し、断熱材の気密性をよくして断熱効率を高める天井埋込型空気調和機を提供することを目的としている。
【０００６】
【課題を解決するための手段】
本発明は上述の課題を解決するため、下方を開放した箱状の本体内にファンとこれを囲繞する熱交換器を配設し、同熱交換器の下面に接する露受皿を上部に備えた遮蔽部材により開放面を覆い、同遮蔽部材には前記ファンに対向する吸込口を設けると共に、本体との間に吹出口を設けて前記吸込口をベルマウスで覆い、本体の下部に室内に面するグリルを装着してなる天井埋込型空気調和機であって、同グリルにある化粧パネルの四辺に吹出口を設け、同吹出口の長手方向の両側であって前記化粧パネルの裏面に断熱材を配置し、前記吹出口に、支軸部により風向変更板を夫々回動自在に軸支するとともに、これら相隣る風向変更板を、前記化粧パネルのコーナ部で駆動装置に連係した連結部材により互いに連結し、該コーナ部に、前記化粧パネルに対向して前記断熱材の両側部を押圧する押圧片を備え、同押圧片と前記化粧パネルとの間に前記断熱材を挟持すると共に、前記連結部材または駆動装置を保護する保護カバーを各々被着してなる天井埋込型空気調和機において、前記吹出口周縁、および前記吸込口周縁にシール材を貼付するようにした天井埋込型空気調和機としている。
【０００７】
前記シール材を前記断熱材の平坦部、および、前記保護カバーの平坦部に貼付するようにした天井埋込型空気調和機としている。
【０００８】
前記断熱材の平坦部、および、前記保護カバーの平坦部にケガキ線を入れ、前記シール材の貼付位置の目印とするようにした天井埋込型空気調和機としている。
【０００９】
前記シール材を断熱材部と保護カバー部とに分割して形成するようにした天井埋込型空気調和機としている。
【００１０】
【００１１】
【００１２】
【００１３】
【発明の実施の形態】
以上のように、本発明の天井埋込型空気調和機においては、吹出口周縁、および吸込口周縁にシール材を貼付するようにしたので、断熱性が良好となる。
【００１４】
シール材を断熱材の平坦部、および、両保護カバーの平坦部に貼付するようにしたので、断熱効率が良好となる。
【００１５】
断熱材の平坦部、および、両保護カバーの平坦部にケガキ線を入れ、シール材の貼付位置の目印とするようにしたので、シール材の貼り忘れ、貼り間違いがない。
【００１６】
シール材を断熱材部と保護カバー部とに分割して形成するようにしたので、シール材を破損することなく保護カバーおよび断熱材を外すことができる。
【００１７】
【００１８】
【００１９】
【００２０】
【実施例】
以下、図面に基づいて本発明による天井埋込型空気調和機を詳細に説明する。図１は従来の天井埋込型空気調和機の断面図、図８は同グリル部の分解斜視図である。天井埋込型空気調和機は、図１に示すように、下方を開放した箱状の本体１内にファン２とこれを囲繞する熱交換器３を配設し、同熱交換器３の下面に接する露受皿４ａを上部に備えた遮蔽部材４により開放面を覆い、同遮蔽部材４には前記ファン２に対向する吸込口５を設けると共に、本体１との間に吹出口６を設けて前記吸込口５をベルマウス７で覆い、本体１の下部に室内に面するグリル８０を装着するようにしている。そして、前記グリル８０は、例えば図８で示すように、化粧パネル８の四辺に吹出口８ａを設け、同吹出口８ａの長手方向の両側であって前記化粧パネル８の裏面に断熱材９ａおよび９ｂを配置し、前記吹出口８ａに、支軸部１０ａにより風向変更板１０を夫々回動自在に軸支するとともに、これら相隣る風向変更板１０を、前記化粧パネル８のコーナ部８ｂで駆動装置１１に連係した連結部材１２により互いに連結し、該コーナ部８ａに、前記連結部材１２または駆動装置１１を保護する保護カバー１３または保護カバー１４を被着している。
【００２１】
図２は本発明による天井埋込型空気調和機の一実施例を示す要部分解斜視図、図３はシール材の一実施例を示す一部分解斜視図、図４はシール材の他の実施例を示す一部分解斜視図、図５はグリルの保護カバーを分解した要部分解斜視図である。図２に示すように、前記吹出口８a周縁、および前記吸込口５周縁の前記断熱材９ａ、９ｂ及び保護カバー１３、保護カバー１４の平坦部にシール材１７を貼付して、各部間の隙間を無くし、断熱効率を良好にしている。このシール材１７は、例えば図３に示すように、略コ字状の第１のシール材１７ａを４こと、１字状の第２のシール材１７ｂを４個を組み合わせて構成している。そして、前記断熱材９ａ、９ｂ及び保護カバー１３、保護カバー１４の平坦部にはケガキ線を入れて前記シール材１７を貼付する位置を印すようにしている。
【００２２】
また、図４に示すように、前記シール材１７を、断熱材９ａ、９ｂに貼付する第３のシール材１７ｃおよび第４のシール材１７ｄを各４個と、保護カバー１３、１４に貼付する第５のシール材１７ｅを４個に分割して形成し、シール材１７を剥がさなくとも保護カバー１３および、保護カバー１４を外すことができるようにしている。
【００２３】
図６は本発明による天井埋込型空気調和機の他の実施例を示す要部分解斜視図、図７は同要部拡大斜視図であり、図７−（Ａ）は駆動装置を保護する保護カバーの部分、図７−（Ｂ）は連結部材を保護する保護カバーの部分を示している。図に示すように、前記保護カバー１３および保護カバー１４の陵部にワイヤー１６を懸けるフック１３ａまたは１４ａを形成している。一方、本体１より同フック１３ａまたは１４ａに対応する前記ワイヤー１６を出し入れ自在に垂下し、同ワイヤー１６に同フック１３ａまたはフック１４ａを懸けて前記グリルを懸吊可能としている。
【００２４】
【発明の効果】
以上説明したように、本発明による天井埋込型空気調和機によれば、吹出口周縁、および吸込口周縁にシール材を貼付するようにしたので、断熱性が良好となる。また、シール材を断熱材の平坦部、および、保護カバーの平坦部に貼付するようにしたので、断熱効率が良好となる。また、断熱材の平坦部、および、保護カバーの平坦部にケガキ線を入れ、シール材の貼付位置の目印とするようにしたので、シール材の貼り忘れ、貼り間違いがない。また、シール材を断熱材部と保護カバー部とに分割して形成するようにしたので、シール材を破損することなく保護カバーおよび断熱材を外すことができる。
【図面の簡単な説明】
【図１】従来の天井埋込型空気調和機の断面図である。
【図２】本発明による天井埋込型空気調和機の一実施例を示す要部分解斜視図である。
【図３】本発明によるシール材の一実施例を示す一部分解斜視図である。
【図４】本発明によるシール材の他の実施例を示す一部分解斜視図である。
【図５】本発明によるグリルの保護カバーを分解した要部分解斜視図である。
【図６】本発明による天井埋込型空気調和機の他の実施例を示す要部分解斜視図である。
【図７】本発明による天井埋込型空気調和機の他の実施例を示す要部拡大斜視図であり、図３−（Ａ）は駆動装置を保護する保護カバーの部分、図３−（Ｂ）は連結部材を保護する保護カバーの部分を示している。
【図８】従来の天井埋込型空気調和機のグリルを示す分解斜視図である。
【符号の説明】
１  本体
２  ファン
３  熱交換器
４  遮蔽部材
４ａ  露受皿
５  吸込口
６  吹出口
７  ベルマウス
８  化粧パネル
８ａ  吹出口
８ｂ  コーナ部
９ａ  断熱材
９ｂ  断熱材
１０  風向変更板
１０ａ  支軸部
１１  駆動装置
１２  連結部材
１３  保護カバー
１３ａ  フック
１４  保護カバー
１４ａ  フック
１５  ネジ
１６  ワイヤー
１７  シール材
１７ａ  第１のシール材
１７ｂ  第２のシール材
１７ｃ  第３のシール材
１７ｄ  第４のシール材
１７ｅ  第５のシール材
【図１】
0003887936.tif 000002
【図２】
0003887936.tif 000003
【図３】
0003887936.tif 000004
【図４】
0003887936.tif 000005
【図５】
0003887936.tif 000006
【図６】
0003887936.tif 000007
【図７】
0003887936.tif 000008
【図８】
0003887936.tif 000009